【手続補正書】
【提出日】平成28年2月8日(2016.2.8)
【手続補正１】
【補正対象書類名】特許請求の範囲
【補正対象項目名】全文
【補正方法】変更
【補正の内容】
【特許請求の範囲】
【請求項１】
カニューレ本体を有するカニューレであって、前記カニューレ本体は、互いに向き合った近位端および遠位端と、導電性の遠位区域であって、前記カニューレ本体の前記遠位端を画定する遠位区域と、前記カニューレ本体の前記遠位区域の近位側に位置する曲げ部と、前記曲げ部を貫通して前記カニューレ本体の前記遠位端に延在するように前記カニューレ本体の前記近位端から長手方向に沿って遠位側に延在する管腔と、前記カニューレ本体の前記遠位端から近位側に離間し且つ前記曲げ部の外側部分を画定する前記カニューレ本体の部分を貫通する側開口であって、前記カニューレ本体の前記管腔内に切開されている、側開口とを有しているカニューレと、
ケーブルに接続されるように構成された電極であって、前記ケーブルは、前記電極を制御コンソールに接続するようになっており、前記電極は、前記カニューレ本体の前記管腔内に着座するように寸法決めされた電極本体を有しており、前記電極本体は、前記ケーブル内の導体に電気的に接続された導電材料から形成された遠位区域と、前記遠位区域の近位側に位置する弾性材料から形成された区域と、を有している、電極と、
を備えるカニューレ／電極アセンブリにおいて、
前記電極本体が前記カニューレの前記管腔内に挿入されたときに、弾性材料から形成された前記区域が、前記曲げ部によって画定された前記管腔の区域内に収まるように位置付けされ、弾性材料から形成された前記区域が曲げ部を画定するように形成されており、これによって、前記カニューレ本体に対する前記電極本体の回転方位に依存して、前記電極本体が前記カニューレ本体内に挿入されたとき、前記電極本体の前記遠位区域は、前記カニューレ本体の前記遠位区域内の前記管腔の前記区域内に着座するか、または前記カニューレ本体側開口から外に延出するようになっていることを特徴とする、カニューレ／電極アセンブリ。
【請求項２】
前記カニューレおよび前記電極には、前記カニューレ本体に対する前記電極本体の回転方位を指示するために配置された相補的な印が形成されていることを特徴とする、請求項１に記載のカニューレ／電極アセンブリ。
【請求項３】
前記カニューレは、ハブを有しており、
前記カニューレ本体の前記近位端は、前記ハブに取り付けられており、前記カニューレ本体は、前記ハブから遠位側に延在しており、
前記カニューレ印は、前記カニューレの前記ハブ上に配置されていることを特徴とする、請求項２に記載のカニューレ／電極アセンブリ。
【請求項４】
前記電極は、ハブを有しており、前記ハブは、前記ケーブルが接続された前記電極の構成部品であり、
前記電極本体は、前記電極ハブから延在しており、
前記電極印は、前記電極ハブ上に配置されていることを特徴とする、請求項２または３に記載のカニューレ／電極アセンブリ。
【請求項５】
前記カニューレ本体は、単一の材料片から形成されていることを特徴とする、請求項１〜４のいずれか１つに記載のカニューレ／電極アセンブリ。
【請求項６】
前記電極本体は、単一の材料片から形成されていることを特徴とする、請求項１〜５のいずれか１つに記載のカニューレ／電極アセンブリ。
【請求項７】
弾性材料から形成された前記区域は、ニッケルチタン合金から形成されていることを特徴とする、請求項１〜６のいずれか１つに記載のカニューレ／電極アセンブリ。
【請求項８】
前記電極本体は、閉鎖した遠位端を有するチューブの形態にあることを特徴とする、請求項１〜７のいずれか１つに記載のカニューレ／電極アセンブリ。
【請求項９】
電気絶縁スリーブが前記カニューレ本体を覆って配置されており、前記スリーブは、前記カニューレ本体の前記遠位端から近位側に離間した位置から近位側に延在していることを特徴とする、請求項１〜８のいずれか１つに記載のカニューレ／電極アセンブリ。
【請求項１０】
前記電極本体内に配置された温度センサをさらに備えていることを特徴とする、請求項１〜９のいずれか１つに記載のカニューレ／電極アセンブリ。
【請求項１１】
前記温度センサは、熱電対であることを特徴とする、請求項１０に記載のカニューレ／電極アセンブリ。
【請求項１２】
前記アセンブリは、モノポーラカニューレ／電極アセンブリとして構成されていることを特徴とする、請求項１〜１１のいずれか１つに記載のカニューレ／電極アセンブリ。
【請求項１３】
前記カニューレは、ハブを有しており、
前記カニューレ本体の前記近位端は、前記ハブに取り付けられており、前記カニューレ本体は、前記ハブから遠位側に延在していることを特徴とする、請求項１〜１２のいずれか１つに記載のカニューレ／電極アセンブリ。
【請求項１４】
前記電極は、ハブを有しており、前記ハブは、前記ケーブルが接続された前記電極の構成要素であり、
前記電極本体は、前記電極ハブから延在していることを特徴とする、請求項１〜１３のいずれか１つに記載のカニューレ／電極アセンブリ。
【請求項１５】
前記電極は、前記電極本体を少なくとも部分的に覆って延在する絶縁材料から形成されたスリーブをさらに備えていることを特徴とする、請求項１〜１４のいずれか１つに記載のカニューレ／電極アセンブリ。
【請求項１６】
前記カニューレの前記曲げ部の曲率半径は、４０ｍｍから６０ｍｍの間にあることを特徴とする、請求項１〜１５のいずれか１つに記載のカニューレ／電極アセンブリ。
【請求項１７】
請求項１〜１６のいずれか１つに記載のカニューレ／電極アセンブリの一部として使用されるカニューレであって、カニューレ本体を備え、前記カニューレ本体は、
互いに向き合った近位端および遠位端と、
導電性の遠位区域であって、前記カニューレ本体の前記遠位端を画定する遠位区域と、
前記カニューレ本体の前記遠位区域の近位側に位置する曲げ部と、
前記カニューレ本体の前記近位端から長手方向に沿って遠位側に延在する管腔であって、前記曲げ部を貫通して前記カニューレ本体の前記遠位端に延在し、かつ、前記電極の前記本体を受け入れるように、寸法決めされている、管腔と、
前記カニューレ本体から前記管腔へ内方に延在する側開口であって、前記曲げ部の外側部分を画定する前記カニューレ本体の部分を貫通し、かつ、前記電極本体の遠位区域が貫通できるように寸法決めされている、側開口とを備え、
前記カニューレ本体は、代替的に、前記電極本体の前記遠位区域が、前記側開口の遠位側に位置する前記カニューレ本体の前記管腔の部分内へと延在し得るように、さらに形成されていることを特徴とする、カニューレ。
【請求項１８】
前記カニューレに形成された印をさらに備え、前記印は、前記電極の相補的な印と一緒に、前記カニューレ本体に対する前記電極本体の回転方位を指示することを特徴とする、請求項１７に記載のカニューレ。
【請求項１９】
ハブが、前記カニューレ本体の前記近位端を覆って配置されており、
前記カニューレの前記印が、前記カニューレの前記ハブ上に配置されていることを特徴とする、請求項１８に記載のカニューレ。
【請求項２０】
前記カニューレの前記印は、２つの線状配列バーから構成されていることを特徴とする、請求項１７または１８に記載のカニューレ。
【請求項２１】
前記カニューレ本体は、単一の材料片から形成されていることを特徴とする、請求項１７〜２０のいずれか１つに記載のカニューレ。
【請求項２２】
電気絶縁スリーブが前記カニューレ本体を覆って配置されており、前記スリーブは、前記カニューレ本体の前記遠位端から近位側に離間した位置から近位側に延在していることを特徴とする、請求項１７〜２１のいずれか１つに記載のカニューレ。
【請求項２３】
前記カニューレは、モノポーラカニューレ／電極アセンブリの一部となるように設計されていることを特徴とする、請求項１７〜２２のいずれか１つに記載のカニューレ。
【請求項２４】
前記カニューレ本体の前記近位端は、ハブに取り付けられており、前記カニューレ本体は、前記ハブから遠位側に延在していることを特徴とする、請求項１７〜２３のいずれか１つに記載のカニューレ。
【請求項２５】
前記曲げ部（５４）の曲率半径は、４０ｍｍから６０ｍｍの間にあることを特徴とする、請求項１７〜２４のいずれか１つに記載のカニューレ。
【請求項２６】
請求項１〜１６のいずれか１つに記載のカニューレ／電極アセンブリを備えている電気外科手術システム。